(57)【要約】      （修正有）【課題】火を用いずに炎のような揺らぎを以て発光する電飾構造体を提供する。【解決手段】上方に向けて空気を吐出する送風部４と、送風部の上方位置に配置される薄布体３、並びにＬＥＤ発光体５とにより構成されるものであって、薄布体は、下端に金属部材が連結されておりこの金属部材を送風部近傍に係止し、上端は次第に細くなるもの。【選択図】図１
0003195070.tif 000002
【実用新案登録請求の範囲】
【請求項１】
上方に向けて空気を吐出する送風部と、該送風部の上方位置に配置される薄布体、並びにＬＥＤ発光体とにより構成されるものであって、該薄布体は、下端に金属部材が連結されておりこの金属部材を該送風部近傍に係止し、上端は次第に細くなるものであることを特徴とする電飾構造体。
【請求項２】
送風部は、シロッコファン２基を回転軸が平行となるように近接して配置し、送風が両回転軸の中心より上方でぶつかるようにしたものである請求項１記載の電飾構造体。
【請求項３】
ＬＥＤ発光体は、多色に発光するものである請求項１又は２記載の電飾構造体。
【請求項４】
薄布体は、シルク製織布である請求項１、２又は３記載の電飾構造体。
【考案の詳細な説明】
【技術分野】
【０００１】
本考案は、火を用いずに炎のような揺らぎを以て発光する電飾構造体の構造に関するものである。
【背景技術】
【０００２】
炎は、通常の電球光と異なり揺らぐものであるので、目に留まりやすく幻想的な雰囲気を演出する効果もある。
【０００３】
但し、これを商店等のディスプレイとして利用すると、延焼の危険性がある。故に、実際の炎を用いることは稀であり通常は、炎を象ったプラスチック製外殻の内部に照明器を配置したもので代用することが行なわれている。
【考案の概要】
【考案が解決しようとする課題】
【０００４】
これらは確かに安全ではあるものの、炎が持つ揺らぎの表現という点に関しては甚だ不十分であったり、或いは全く揺らがないものであったりして、リアルさに欠けるものでしかなかった。
【課題を解決するための手段】
【０００５】
以上のような状況に鑑み、本考案者は鋭意研究の結果本考案を完成させたものであり、その特徴とするところは、上方に向けて空気を吐出する送風部と、該送風部の上方位置に配置される薄布体、並びにＬＥＤ発光体とにより構成されるものであって、該薄布体は、下端に金属部材が連結されておりこの金属部材を該送風部近傍に係止し、上端は次第に細くなるものである点にある。
【０００６】
ここで、送風部は、薄布体に空気を当てて気流によってこれを直立させつつ、揺らがせるためのものである。プロペラファンであっても良いがシロッコファンを用いる方が、実際の炎に近い揺らぎを薄布体に与えることができて好ましい。更に、シロッコファン２基を回転軸が平行となるように近接して配置し、送風が両回転軸の中心より上方でぶつかるようにすると、より好適である。
【０００７】
ＬＥＤ発光体は、薄布体に光を照射するための部材である。観察者は、薄布体での反射光を見ることとなり、発光体自体を視界にとらえるのは好ましくない。そこで、装置内部に設置するのが好ましい。
【０００８】
発光体の色については特に限定はしないが、一般的な炎の色に近づけるという意味では、オレンジ色を基調とし、炎の中心部分に向けては白色を照射するようにするのが好ましい。
しかし、これ以外の色を用いても斬新であるし、更に、多色に発光するものを用いて手動で、或いは予め設定されたプログラムに基づいて、自動的に色彩を変更できるような制御装置を付帯させるようにしても良い。
【０００９】
薄布体は、送風部から吐出される気流で揺らぎながら直立し、ＬＥＤ発光体によって光照射されることで乱反射するものである。見た目には、これが炎それ自体となる。
この薄布体には、織布を用いる。わずかな風量で直立するように軽量であることが好ましいし、揺らぎやすいように柔らかな素材であるほうが好ましい。素材については特に限定しないが、軽量さ・柔軟さという点でシルク、若しくはナイロン繊維を織った布が良い。
【００１０】
また薄布体は、白色無地を基本とするが、他の色を用いても良いし、本考案電飾構造体を広告媒体として用いる場合にはここに印刷を施しれも良い。
【００１１】
また薄布体は、下端に金属部材が連結されている。この金属部材は、送風部近傍に係止されて、吐出される空気にさらされる薄布体を保持するものである。１枚の平板であっても良いし、長尺の金属板を曲げて両端を繋ぎ、円又は楕円状にしたもの、その他であっても良い。
金属部材が１枚の平板の場合には、薄布体も１枚の平らな布となるため、表現される炎も平面的なものとなる。円又は楕円状の場合は、薄布体を円筒状とすることになるので、表現される炎は立体的なものとなる。なお、円筒体とする場合には、鯉のぼりの吹き流しの如く、先端側を長手方向に沿ってカットし、風によって揺らぎやすい構造とするのが好ましい。
なお、薄布体が１枚の平板状のものである場合も、筒状のものである場合も、先端側（炎の上端に位置する側）は次第に細くなるよう形成されている。これは、実際の炎の形に近づけるためである。
【考案の効果】
【００１２】
本考案は、上方に向けて空気を吐出する送風部と、該送風部の上方位置に配置される薄布体、並びにＬＥＤ発光体とにより構成されるものであって、該薄布体は、下端に金属部材が連結されておりこの金属部材を該送風部近傍に係止し、上端は次第に細くなるものであることを特徴とするものであり、以下述べる如き効果を有する有用な考案である。
【００１３】
（１）  実際の炎と違い火災が発生する危険性が非常に小さい。そのため、屋外・室内を問わず様々な場面で採用できる。
（２）  薄い布地に風を当ててこれを直立させたものが炎本体となるため、この布には計算できない揺らぎが生じ、極めてリアルな炎状のスクリーンとなる。
（３）  ＬＥＤ発光体から照射された光を受けこれを乱反射させることで発光するものであるが、この発光色を選択することで、斬新な色彩のものとすることができる。
（４）  薄布体自体に印刷を施せば、斬新な広告媒体となり得る。
【図面の簡単な説明】
【００１４】
【図１】本考案に係る電飾構造体の一例を示す斜視図である。
【図２】薄布体の一例を示す平面図である。
【図３】薄布体の他の例を示す斜視図である。
【考案を実施するための最良の形態】
【００１５】
以下実施の形態に基づいて、本考案をより詳細に説明する。
図１は、本考案に係る電飾構造体１（以下本考案構造体１という）の一例を示すものであり、本体２と薄布体３とにより構成されるものである。
【００１６】
本体２内部には、２基の送風器４・４と、ＬＥＤ発光体群５、及び発光の制御を行なうＩＣ基板、電源コード、等々が内蔵されている。
【００１７】
送風機４は、いずれもシロッコファンであり、双方の回転軸が平行となるように近接して置かれ、送風が両回転軸の中心より上方でぶつかるように配置されている。
【００１８】
ＬＥＤ発光体群５は、リモートコントローラーによって発光パターンを変えることができるよう制御されたものであって、多色に発光するものである。
【００１９】
図２は、薄布体３の一例を示す平面図である。薄布体３は、薄布３１と金属板３２とにより成り、この金属板３２を本体２に係止してセットする。薄布３１は、概ね矩形状の白色シルク織布であり、上端側が丸くカットされて細くなっている。
【００２０】
図３は、薄布体３の他の例を示すものであり、金属部材が板ではなく、輪状金属体３３となっている。薄布３１は筒状となって、この輪状金属体３３に連結されている。筒状体の上端は長手方向に沿ってカットされており、風によって揺らぎやすい構造となっている。
【符号の説明】
【００２１】
１    本考案に係る電飾構造体
２    本体
３    薄布体
３１  薄布
３２  金属板
３３  輪状金属体
４    送風器
５    ＬＥＤ発光体群
【図１】
0003195070.tif 000003
【図２】
0003195070.tif 000004
【図３】
0003195070.tif 000005